(57)【特許請求の範囲】
【請求項１】
一対の第１、第２の行電極と交差するように列電極を配置するとともに交差した部分に放電セルを形成したプラズマディスプレイパネルと、このプラズマディスプレイパネルを駆動する駆動回路とを備え、書き込み期間において前記列電極に電圧パルスを印加することにより放電セルの点灯及び非点灯を選択する書き込み動作を行い、この書き込み動作を行った放電セルにおいて、引き続いて前記行電極に電圧パルスを印加することによって発光維持期間において発光維持動作を行うプラズマディスプレイ装置であって、所定のサブフィールドの書き込み動作の有無は、前記所定のサブフィールドに先行するサブフィールドの発光維持動作の回数及び表示すべき映像データに対応した入力信号によって決定するように構成し、前記所定のサブフィールドに先行する複数のサブフィールド群の発光維持動作の回数の合計が所定の回数よりも大きい場合、前記所定のサブフィールドを非点灯とするように構成したことを特徴とするプラズマディスプレイ装置。
【請求項２】
一対の第１、第２の行電極と交差するように列電極を配置するとともに交差した部分に放電セルを形成したプラズマディスプレイパネルと、このプラズマディスプレイパネルを駆動する駆動回路とを備え、書き込み期間において前記列電極に電圧パルスを印加することにより放電セルの点灯及び非点灯を選択する書き込み動作を行い、この書き込み動作を行った放電セルにおいて、引き続いて前記行電極に電圧パルスを印加することによって発光維持期間において発光維持動作を行うプラズマディスプレイ装置であって、所定のフィールドの最初のサブフィールドの書き込み動作の有無は、前記所定のサブフィールドの直前のフィールドにおける発光維持動作の回数及び表示すべき映像データに対応した入力信号によって決定するように構成し、前記直前のフィールドを構成する各サブフィールドのうち最後に配置されたサブフィールドを含む連続した複数のサブフィールド群において発光維持動作した回数が所定の回数よりも大きい場合、前記所定のフィールドの最初のサブフィールドを非点灯とするように構成したことを特徴とするプラズマディスプレイ装置。
【発明の詳細な説明】
【０００１】
【発明の属する技術分野】
本発明は、放電を制御することにより画像を表示するプラズマディスプレイ装置に関するものである。
【０００２】
【従来の技術】
図６にプラズマディスプレイパネル（以下パネルという）の一部斜視図を示す。図６に示すように、第１のガラス基板１上には誘電体層２及び保護膜３で覆われた走査電極４と維持電極５とが対を成して互いに平行に配設されている。第２のガラス基板６上には絶縁体層７で覆われたデータ電極８が配設され、データ電極８の間の絶縁体層７上にデータ電極８と平行に隔壁９が設けられている。また、絶縁体層７の表面から隔壁９の側面にかけて蛍光体１０が設けられ、走査電極４及び維持電極５とデータ電極８とが直交するように第１のガラス基板１と第２のガラス基板６とが放電空間１１を挟んで対向して配置され、その放電空間１１には放電ガスが封入されている。また、隣接する２つの隔壁９に挟まれ、データ電極８と対向する走査電極４と維持電極５との交差部の放電空間には放電セル１２が構成されている。
【０００３】
このパネルを駆動するための従来の駆動方法における時間割構成の例を図７に、動作タイミング図を図８にそれぞれ示す。この駆動方法は１フィールドが複数のサブフィールド、例えば８つのサブフィルールドで構成されており、これらのサブフィールドはそれぞれ初期化期間、書き込み期間、維持期間及び消去期間で構成されている。
【０００４】
次に図８に示す従来の駆動方法における書き込み期間の書き込み動作について説明すると、図８に示すように、フィールドの最初にある初期化期間において後続の書き込み期間において有効な壁電荷を全ての走査電極ＳＣＮ１〜ＳＣＮＮ、全ての維持電極ＳＵＳ１〜ＳＵＳＮ及びデータ電極Ｄ１〜ＤＭに蓄積させた後、書き込み期間において全ての走査電極ＳＣＮ１〜ＳＣＮＮをＶｓ（Ｖ）に、また全ての維持電極ＳＵＳ１〜ＳＵＳＮをＶｈ（Ｖ）に保持し、データ電極Ｄ１〜ＤＭのうち、第１行目に表示すべき放電セル１２に対応する所定のデータ電極に正の書き込みパルス電極Ｖｗ（Ｖ）を第１行目の走査電極ＳＣＮ１に走査パルス電圧０（Ｖ）をそれぞれ印加する。
【０００５】
このとき、所定のデータ電極と走査電極ＳＣＮ１との交差部における絶縁体層７の表面と走査電極ＳＣＮ１上の保護膜３の表面との間の電圧は、書き込みパルス電圧Ｖｗ（Ｖ）に所定のデータ電極上の絶縁体層７の表面の正の壁電圧が加算されたものとなるため、この交差部において所定のデータ電極と走査電極ＳＣＮ１との間及び維持電極ＳＵＳ１と走査電極ＳＣＮ１との間に書き込み放電が起こり、この交差部の走査電極ＳＣＮ１上の保護膜３表面に正電圧が蓄積され、維持電極ＳＵＳ１上の保護膜３表面に負電圧が蓄積され、書き込み放電が起こったデータ電極上の絶縁体層７の表面に負電圧が蓄積される。
【０００６】
第２行目以降も同様な動作が引き続いて行われ、最後にデータ電極Ｄ１〜ＤＭのうち、第Ｎ行目に表示すべき放電セル１２に対応する所定のデータ電極に正の書き込みパルス電圧Ｖｗ（Ｖ）を、第Ｎ行目の走査電極ＳＣＮＮに走査パルス電圧０（Ｖ）をそれぞれ印加する。このとき、所定のデータ電極と走査電極ＳＣＮＮとの交差部において、所定のデータ電極と操作電極ＳＣＮＮとの間及び維持電極ＳＵＳＮと走査電極ＳＣＮＮとの間に書き込み放電が起こり、この交差部の走査電極ＳＣＮＮ上の保護膜３表面に正電圧が蓄積され、維持電極ＳＵＳＮ上の保護膜３表面に負電極が蓄積され、書き込み放電が起こったデータ電極上の絶縁体層７の表面に負電圧が蓄積される。以上により書き込み期間における書き込み動作が終了する。
【０００７】
また、図８に示す従来の駆動方法における発光維持期間の発光維持動作について説明すると、図８に示すように、書き込み期間に続く発光維持期間において、まず全ての走査電極ＳＣＮ１〜ＳＣＮＮ及び維持電極ＳＵＳ１〜ＳＵＳＮを０（Ｖ）に保持した後、全ての走査電極ＳＣＮ１〜ＳＣＮＮに正の維持パルス電圧Ｖｍ（Ｖ）を印加すると、書き込み放電を起こした放電セル１２における走査電極４上の保護膜３の表面と維持電極５上の保護膜３の表面との間の電圧は、維持パルス電圧Ｖｍ（Ｖ）に、書き込み期間において蓄積された走査電極４上の保護膜３の正の壁電圧及び維持電極５上の保護膜３の表面に蓄積された負の壁電圧が加算されたものになり、放電開始電圧を超える。
【０００８】
このため、書き込み放電を起こした放電セル１２において、走査電極４と維持電極５との間に維持放電が起こり、この維持放電を起こした放電セル１２における走査電極４上の保護膜３の表面には負の壁電圧が蓄積され、維持電極５上の保護膜３の表面には正の壁電圧が蓄積される。その後、維持パルス電圧は０（Ｖ）に戻る。
【０００９】
続いて、全ての維持電極ＳＵＳ１〜ＳＵＳＮに正の維持パルス電圧Ｖｍ（Ｖ）を印加すると、維持放電を起こした放電セル１２における走査電極４上の保護膜３の表面と維持電極５上の保護膜３の表面との間の電圧は、維持パルス電圧Ｖｍ（Ｖ）に、直前の維持放電によって蓄積された操作電極４上の保護膜３の表面の負の壁電圧及び維持電極５上の保護膜３の表面に蓄積された正の壁電圧が加算されたものになる。
【００１０】
このため、直前に維持放電を起こした放電セル１２において、走査電極４と維持電極５との間に維持放電が起こり、この維持放電を起こした放電セル１２における走査電極４上の保護膜３の表面には正の壁電圧が蓄積され、維持電極５上の保護膜３の表面には負の壁電圧が蓄積される。その後、維持パルス電圧は０（Ｖ）に戻る。
【００１１】
以降同様に、全ての走査電極ＳＣＮ１〜ＳＣＮＮと全ての維持電極ＳＵＳ１〜ＳＵＳＮとに正の維持パルス電圧Ｖｍ（Ｖ）を交互に印加することにより、維持放電が継続して行われる。
【００１２】
また、図９に従来のプラズマディスプレイ装置の階調表現方法を示しており、以下に説明する。プラズマディスプレイ装置は放電現象を利用しているため放電セル１２は点灯及び非点灯の２つの状態しか持たない。従って、中間調の階調表現を行うために１フィールドを複数のサブフィールドに分割し、それぞれのサブフィールドに発光輝度に対応する重みを持たせ、各フィールド毎に発光の有無を制御することで階調表現をしている。
【００１３】
例えば図９に示すように１フィールドを６つのサブフィールドに分割し、それぞれのサブフィールドＳＦ１からＳＦ６の発光輝度の重みを「１」、「２」、「４」、「８」、「１６」、「３２」として配置する。階調「３１」を表現する場合は、ＳＦ１、ＳＦ２、ＳＦ３、ＳＦ４及びＳＦ５における書き込み期間において、後続の発光維持動作に有効に作用する壁電荷を放電セル１２に形成し各電極に蓄積する書き込み放電を伴う書き込み動作を行うことにより、サブフィールドそれぞれの重みである「１」、「２」、「４」、「８」及び「１６」に相当する発光維持動作が行われ、階調「３１」が表現される。
【００１４】
また階調「６３」を表現する場合は、ＳＦ１からＳＦ６において書き込み動作を行うことで階調「６３」に相当する発光維持動作が行われる。このように階調「６３」を表現する場合、ＳＦ１からＳＦ５において発光維持動作を行い階調「３１」を表現する場合に加え、更にＳＦ６においても発光維持動作を行う。
【００１５】
【発明が解決しようとする課題】
しかし、発光維持期間において所定の回数以上の発光維持動作が行われた場合、放電セル１２中の放電ガスが活性化し、走査電極ＳＣＮＮ上の保護膜３表面及びデータ電極上の絶縁体層７表面に蓄積された壁電圧がそれぞれ弱められ易くなっている。この場合、フィールドの最初にある初期化期間において全ての走査電極ＳＣＮ１〜ＳＣＮＮ、すべての維持電極ＳＵＳ１〜ＳＵＳＮ及び全てのデータ電極Ｄ１〜ＤＭに蓄積された後続の書き込み期間において有効な壁電荷が、初期化動作終了後、書き込み期間において実際に書き込み動作を行うまでの間に弱められ、正常な書き込み動作を行うことができない場合がある。
【００１６】
この場合、後続の発光維持動作に有効に作用する壁電荷を正常に蓄積できないため、発光維持動作を行うことができず、書き込み動作を正常に行うことができなかったサブフィールドの重みに相当した階調は表現することができない。例えば、１フィールドがサブフィールドＳＦ１からＳＦ６までの発光輝度の重みがそれぞれ「１」、「２」、「４」、「８」、「１６」、「３２」である６つのサブフィールドで構成された場合において、ＳＦ１からＳＦ６の発光維持期間において発光維持動作をさせて階調「６３」を表現する場合、まずＳＦ１からＳＦ５までに合計３１回の発光維持動作を行う。この場合、所定の放電セル１２中の放電ガスは充分活性化されているため、各電極に蓄積された壁電荷は後続のＳＦ６の書き込み期間において実際に書き込み動作を行うまで弱められてしまう。
【００１７】
したがって、ＳＦ６の書き込み期間における書き込み動作を正常に行うことができないため、階調は「３１」となってしまい、実際に表現したい階調との差は「３２」となるため、画質が劣化するという問題があった。またサブフィールドの書き込み期間における書き込み動作の回数と、データドライバモジュールの消費電力の間には相関関係があり、書き込み動作の増加によってデータドライバモジュールの消費電力が増加するという問題がある。
【００１８】
本発明は上記の課題に鑑みなされたもので階調の劣化を防止することを目的とする。
【００１９】
【課題を解決するための手段】
以上の課題を解決するために本発明は、プラズマディスプレイ装置において、書き込み動作及び発光維持動作を行う書き込み期間及び発光維持期間を有するサブフィールドの書き込み動作の有無を、前記所定のサブフィールドに先行するサブフィールドの発光維持動作の回数及び表示すべき映像データに対応した入力信号によって決定するように構成したものである。
【００２０】
これにより、前段までの発光維持動作によって所定の放電セル中の放電ガスが充分活性化された場合に、後続のサブフィールドの書き込み期間において正常な書き込み動作を行うことができず後続の発光維持動作を行うことができないという階調の劣化を防止することができる。
【００２１】
【発明の実施の形態】
すなわち、本発明の請求項１に記載のプラズマディスプレイ装置は、一対の第１、第２の行電極と交差するように列電極を配置するとともに交差した部分に放電セルを形成したプラズマディスプレイパネルと、このプラズマディスプレイパネルを駆動する駆動回路とを備え、書き込み期間において前記列電極に電圧パルスを印加することにより放電セルの点灯及び非点灯を選択する書き込み動作を行い、この書き込み動作を行った放電セルにおいて、引き続いて前記行電極に電圧パルスを印加することによって発光維持期間において発光維持動作を行うプラズマディスプレイ装置であって、所定のサブフィールドの書き込み動作の有無は、前記所定のサブフィールドに先行するサブフィールドの発光維持動作の回数及び表示すべき映像データに対応した入力信号によって決定するように構成し、前記所定のサブフィールドに先行する複数のサブフィールド群の発光維持動作の回数の合計が所定の回数よりも大きい場合、前記所定のサブフィールドを非点灯とするように構成し、連続して書き込み動作及び発光維持動作を行う前記所定のサブフィールドに先行する複数のサブフィールド群の発光維持動作の回数の合計が所定の回数よりも大きい場合、前記所定のサブフィールドを非点灯とするように構成したものである。これにより、前段までの発光維持動作によって所定の放電セル中の放電ガスが充分活性化された場合に、後続のサブフィールドの書き込み期間において正常な書き込み動作を行うことができず後続の発光維持動作を行うことができないという階調の劣化を防止することができる。
【００２２】
また、本発明の請求項２に記載のプラズマディスプレイ装置は、一対の第１、第２の行電極と交差するように列電極を配置するとともに交差した部分に放電セルを形成したプラズマディスプレイパネルと、このプラズマディスプレイパネルを駆動する駆動回路とを備え、書き込み期間において前記列電極に電圧パルスを印加することにより放電セルの点灯及び非点灯を選択する書き込み動作を行い、この書き込み動作を行った放電セルにおいて、引き続いて前記行電極に電圧パルスを印加することによって発光維持期間において発光維持動作を行うプラズマディスプレイ装置であって、所定のフィールドの最初のサブフィールドの書き込み動作の有無は、前記所定のサブフィールドの直前のフィールドにおける発光維持動作の回数及び表示すべき映像データに対応した入力信号によって決定するように構成し、前記直前のフィールドを構成する各サブフィールドのうち最後に配置されたサブフィールドを含む連続した複数のサブフィールド群において発光維持動作した回数が所定の回数よりも大きい場合、前記所定のフィールドの最初のサブフィールドを非点灯とするように構成したものである。これにより、直前のフィールドでの発光維持動作によって所定の放電セル中の放電ガスが充分活性化された場合に、後続のフィールドの最初に配置されたサブフィールドの書き込み期間において壁電圧が弱められ、正常な書き込み動作を行うことができず後続の発光維持動作を行うことができないという階調の劣化を防止することができる。
【００２５】
なお、サブフィールドの書き込み動作の有無を決定する発光維持動作の回数は３０回としている。
【００２６】
以下、本発明の一実施の形態によるプラズマディスプレイ装置について、図１〜図５を用いて説明する。
【００２７】
（実施の形態１）
図２に本発明の実施の形態１によるプラズマディスプレイ装置の構成図を示している。
【００２８】
この図２に示すプラズマディスプレイ装置は、プラズマディスプレイパネル２１、データドライバ２２、走査ドライバ２３、維持ドライバ２４及びデータ検出変換部２５により構成されている。
【００２９】
プラズマディスプレイパネル２１は図６に示すように、列電極である複数のデータ電極８と、第１の行電極である複数の走査電極４及び第２の行電極である複数の維持電極５を有しており、複数のデータ電極８は画面の垂直方向に配列され、複数の走査電極４及び複数の維持電極５は画面の水平方向に配列されている。また、複数の維持電極５は共通に接続され、そしてデータ電極８、走査電極４及び維持電極５の各交差点には、放電セル１２が形成されており、各放電セル１２が画面上の画素を構成している。また、放電セル１２の内部には放電ガスが封入されている。
【００３０】
また、データドライバ２２は、プラズマディスプレイパネル２１の複数のデータ電極８に接続され、走査ドライバ２３は、プラズマディスプレイパネル２１の複数の走査電極４に接続され、維持ドライバ２４は、プラズマディスプレイパネル２１の複数の維持電極５に接続されている。そして、データ検出変換部２５は、データドライバ２２、走査ドライバ２３及び維持ドライバ２４に接続されている。
【００３１】
走査ドライバ２３は、全放電セル１２において安定した初期化放電、書き込み放電、維持放電及び消去放電を行うことができるように、各サブフィールドの維持期間を含む初期化期間、書き込み期間及び消去期間において複数の走査電極４にそれぞれ初期化動作用、維持動作用、書き込み動作用及び消去動作用パルスを印加する。また、維持ドライバ２４は全放電セル１２において安定した初期化放電、書き込み放電、維持放電及び消去放電を行うことができるように、各サブフィールドの維持期間を含む初期化期間、書き込み期間及び消去期間において、複数の維持電極５にそれぞれ初期化動作用、維持動作用、書き込み動作用及び消去動作用パルスを印加する。
【００３２】
さらに、データドライバ２２は、全放電セル１２において安定した書き込み放電を行うことができるように、各サブフィールドの書き込み期間にデータ検出変換部２５を介して入力される映像信号に応じて複数のデータ電極８にオンまたはオフする書き込み電圧パルスを印加する。これにより、所定の放電セル１２において初期化動作、維持動作、書き込み動作及び消去動作が行われる。
【００３３】
図１に、図２のプラズマディスプレイ装置の駆動における各サブフィールドの書き込み動作と発光状態を示す。なお、プラズマディスプレイパネルの駆動における時間割構成図、及び走査電極、維持電極、データ電極に印加される駆動電圧及び動作タイミングは、上述した図７，図８に示すものと同じである。
【００３４】
図１に示すように、１フィールドを８つのサブフィールドＳＦ１からＳＦ８に分割し、それぞれのサブフィールドの発光輝度の重みをそれぞれフィールドの開始から時間的に早い順に「１」、「２」、「４」、「８」、「１６」、「３２」、「６４」及び「１２８」とした場合、全てのサブフィールドの組み合わせによって最大２５６の階調が表現可能である。例えば、階調「３１」を表現する場合、サブフィールドＳＦ１、ＳＦ２、ＳＦ３、ＳＦ４及びＳＦ５の書き込み期間において書き込み動作を行うことで、後続の発光維持動作を正常に行うことができ、階調「３１」を表現することができる。また、階調「３２」を表現する場合、ＳＦ６の書き込み期間においてのみ書き込み動作を行い、後続の発光維持動作を行う。
【００３５】
ここで、階調「６３」を表現する場合、ＳＦ１からＳＦ５において書き込み動作及び発光維持動作を行い、更に後続のＳＦ６においても書き込み動作を行う。しかし、ＳＦ５までの発光維持動作により所定の放電セル１２中の放電ガスは充分活性化されているため、ＳＦ６の書き込み期間において所定の放電セル１２を形成する各電極に蓄積された壁電圧は非常に弱められ易くなっており、実際に書き込み動作を行う場合に、正常な書き込み動作を行うことができず、後続の発光維持期間において発光維持動作を行うことができない場合がある。
【００３６】
このとき、所定の放電セル１２はＳＦ１からＳＦ５までしか発光維持動作を行わないため、実際に表現される階調は「３１」となってしまう。ここで前段までに発光維持動作を行った回数が所定以上の回数であり、放電セル１２中の放電ガスが充分活性化される場合、直後に配置されるサブフィールドでは書き込み動作を行わず、その他のサブフィールドの書き込み期間において書き込み動作を行うことにより階調を表現する。
【００３７】
これにより、直後に配置されたサブフィールドの書き込み期間における書き込み不良による階調性の劣化を防止することができる。また放電セル１２中の放電ガスが充分活性化するに至る発光維持動作の回数はパネルの放電特性により異なるが、３０回より大きい値が好ましい。これにより比較的低い階調の表現を正確に行うことができる。またその他のサブフィールドを用いることにより階調の誤差が生じるが、このような場合には誤差拡散法またはディザ法等の信号処理により影響を少なくできる。
【００３８】
すなわち、階調「６３」を表現する場合、ＳＦ１、ＳＦ３、ＳＦ４、ＳＦ５及びＳＦ６の発光維持期間において発光維持動作させることによって表現できる階調「６１」及びＳＦ７の発光維持期間のみで発光維持動作させることによって表現できる階調「６４」、ＳＦ１及びＳＦ７の発光維持期間において発光維持動作させることによって表現できる階調「６５」等の周辺階調を用いた信号処理によって表現することができる。ここで、ＳＦ３からＳＦ６において連続して書き込み動作を行うが、この場合ＳＦ３からＳＦ５までの発光維持動作の回数の合計は「２８」となるため、所定の放電セル１２中の放電ガスはまだ充分活性化されておらず、直後に配置されたＳＦ６の書き込み期間において、所定の放電セル１２を形成する各電極には、書き込み動作を行うのに充分なだけ蓄積されているため、正常な書き込み動作を行うことができる。
【００３９】
次に発光維持動作させるサブフィールドの発光維持動作の回数が所定の回数よりも大きい場合、発光維持動作させるサブフィールドの直後に配置されたサブフィールドを非点灯とする場合について以下に説明する。
【００４０】
例えば図１に示すように、階調「４８」を表現する場合、ＳＦ５及びＳＦ６の書き込み期間において書き込み動作を行うことで、後続の発光維持動作を行い、階調「４８」を表現する。このとき、ＳＦ５の発光維持期間における発光維持動作の回数は「１６」であるため、所定の放電セル１２中の放電ガスは充分活性化していないため直後に配置されているＳＦ６の書き込み期間においても正常な書き込み動作を行うことができる。
【００４１】
それに対し、階調「９６」を表現する場合、ＳＦ６及びＳＦ７の書き込み期間において書き込み動作を行い、後続の発光維持動作によって階調「９６」が表現されるが、ＳＦ６の発光維持期間における発光維持回数は「３２」であるため、所定の放電セル１２中の放電ガスが充分活性化されており、初期化期間において所定の放電セルを形成する各電極上に蓄積された壁電圧は非常に弱められ易くなっている。このため、ＳＦ７の書き込み期間において正常な書き込み動作を行うことができない場合がある。
【００４２】
すなわち、ＳＦ６のように発光維持動作の回数が所定の回数以上であり、所定の放電セル１２中の放電ガスが充分活性する場合、直後に配置されたサブフィールドにおいては書き込み動作を行わず、その他のサブフィールドの書き込み期間において書き込み動作を行うことで階調を表現するようにする。これにより、直後に配置されたサブフィールドの書き込み期間における書き込み不良による階調性の劣化を防止することができる。なお、放電セル１２中の放電ガスが充分活性化するに至る発光維持動作の回数は、上述のようにパネルの放電特性により異なるが３０回より大きい値が好ましく、これにより比較的低い階調の表現を正確に行うことができる。
【００４３】
また、その他のサブフィールドを用いることにより階調の誤差が生じるが、このような場合には誤差拡散法またはディザ法等の信号処理により誤差による影響を少なくできる。なお１フィールドを構成するサブフィールドの発光輝度の重みも、図１に示す値でなくても各サブフィールドを用いて階調表示が可能な発光輝度の重みであれば、同様の効果が得られる。
【００４４】
（実施の形態２）
図５に本発明の実施の形態２によるプラズマディスプレイ表示装置の構成図を示しており、図５において図２に示す部分と同一部分には同一番号を付している。
【００４５】
すなわち、図５に示すプラズマディスプレイ装置は、プラズマディスプレイパネル２１、データドライバ２２、走査ドライバ２３、維持ドライバ２４、データ検出変換部２５及びフィールドメモリ２６により構成され、このフィールドメモリ２６はデータ検出変換部２５に接続されている。そしてデータ検出変換部２５では、直前のフィールドにおける表示状態を記憶しているフィールドメモリ２６からデータを読み取ることで、複数のデータ電極８に適当な電圧パルスを印加できるような映像信号に変換しその信号をデータドライバ２２に送るように構成している。その他の動作については、図２に示すものと同様な動作を行う。
【００４６】
図３に、図５のプラズマディスプレイ装置の駆動における各サブフィールドの書き込み動作と発光状態を示す。なお、プラズマディスプレイパネルの駆動における時間割構成図、及び走査電極、維持電極、データ電極に印加される駆動電圧及び動作タイミングは、上述した図７、図８に示すものと同じである。
【００４７】
図３に示すように、２つのフィールドに対し、それぞれ１フィールドを８つのサブフィールドＳＦ１１からＳＦ１８、及びＳＦ２１からＳＦ２８に分割し、それぞれのサブフィールドの発光輝度の重みをそれぞれのフィールドの開始から時間的に早い順に「１」、「２」、「４」、「８」、「１６」、「３２」、「６４」及び「１２８」とした場合、全てのサブフィールドの組み合わせによって最大２５６の階調が表現可能である。
【００４８】
ここで、直前のフィールドにおいて最後に配置されるサブフィールドＳＦ１８における発光維持動作の回数が「１２８」である場合、所定の放電セル１２中の放電ガスは充分活性化され、初期化期間において所定の放電セルを形成する各電極上に蓄積された壁電圧は非常に弱れられ易くなっているため、直後のフィールドの先頭に配置されているサブフィールドＳＦ２１の書き込み期間においては正常な書き込み動作を行うことができない場合がある。
【００４９】
この場合、ＳＦ１８のように、フィールドの最後に配置されたサブフィールドにおける発光維持動作の回数が所定の回数以上であり、所定の放電セル１２中の放電ガスが充分活性する場合、データ検出変換部２５及びフィールドメモリ２６を用いて直前のフィールドにおける発光維持動作の回数を考慮し、直後のフィールドにおいて最初に配置されたサブフィールドにおいては書き込み動作を行わず、その他のサブフィールドの書き込み期間において書き込み動作を行うことで階調を表現することにより、直後のフィールドの最初に配置されたサブフィールドの書き込み期間における書き込み不良による階調性の劣化を防止することができる。
【００５０】
なお、放電セル１２中の放電ガスが充分活性化するに至る発光維持動作の回数は、パネルの放電特性により異なるが、上述のように３０回より大きい値が好ましい。またその他のサブフィールドを用いることにより階調の誤差が生じるが、このような場合には信号処理等により影響を少なくして階調を表現すればよりさらに、１フィールドを構成するサブフィールドの発光輝度の重みも図３に示す値でなくても、各サブフィールドを用いて階調表示が可能な発光輝度の重みであれば、同様の効果が得られる。
【００５１】
次に図４を用いて、本発明における別の制御例について説明する。なお、この図４では、直前のフィールドにおいて１フィールドを構成する各サブフィールドのうちフィールドの最後に配置されたサブフィールドを有する連続した複数のサブフィールド群において、書き込み動作及び発光維持動作を連続で行い、発光維持動作した回数が所定の回数よりも大きい場合に、後続のフィールドの最初に配置されたサブフィールドを非点灯とする場合について説明する。
【００５２】
例えば図４に示すように、２つのフィールドに対しそれぞれ１フィールドを８つのサブフィールドＳＦ１１からＳＦ１８及びＳＦ２１からＳＦ２８に分割し、それぞれのサブフィールドの発光輝度の重みをそれぞれフィールドの開始から時間的に早い順に「１」、「２」、「４」、「８」、「１６」、「４８」、「３２」及び「２８」とした場合、全てのサブフィールドの組み合わせによって最大１４０の階調が表現可能である。
【００５３】
図４に示すように、直前のフィールドにおいて最後に配置されるサブフィールドＳＦ１８の発光維持期間において、発光維持動作を行う場合のうちＳＦ１７とＳＦ１８が連続して発光維持動作しない場合、例えば階調「５９」を表現する場合、ＳＦ１８のみの発光維持動作の回数は「２８」であるため、後続のフィールドに移行した際には所定の放電セル１２中の放電ガスは充分活性化しておらず、後続のフィールドの最初に配置されたサブフィールドＳＦ２１の書き込み期間においては正常な書き込み動作を行うことができる。
【００５４】
これに対し、直前のフィールドにおいて最後に配置されるサブフィールドＳＦ１８を含む複数のサブフィールドが連続して発光維持動作を行った場合、例えば階調「６１」を表現する場合にはＳＦ１７及びＳＦ１８の発光維持期間において連続して発光維持動作を行い、その発光維持動作の回数の合計は「５２」であるため、所定の放電セル１２中の放電ガスは充分活性化されており、初期化期間において所定の放電セルを形成する各電極上に蓄積された壁電圧は非常に弱められ易くなっているため、直後のフィールドの先頭に配置されているサブフィールドＳＦ２１の書き込み期間においては、正常な書き込み動作を行うことができない場合がある。
【００５５】
ここで、ＳＦ１７及びＳＦ１８のように、フィールドの最後に配置されたサブフィールドを有し連続して発光維持動作を行うとともに、その発光維持動作の回数が所定の回数以上で、所定の放電セル１２中の放電ガスが充分活性する場合は、データ検出変換部２５及びフィールドメモリ２６を用いて直前のフィールドにおける発光維持動作の回数を考慮し、直後のフィールドにおいて最初に配置されたサブフィールドにおいては書き込み動作を行わず、その他のサブフィールドの書き込み期間において書き込み動作を行うことで階調を実現することにより、直後のフィールドの先頭に配置されたサブフィールドの書き込み期間における書き込み不良による階調性の劣化を防止することができる。
【００５６】
なお、この場合も放電セル１２中の放電ガスが充分活性化するに至る発光維持動作の回数は３０回より大きい値が好ましい。またその他のサブフィールドを用いることにより階調の誤差が生じるが、このような場合には信号処理等により影響を少なくして階調を表現するようにすればよい。さらに、１フィールドを構成するサブフィールドの発光輝度の重みも図４に示す値でなくても、各サブフィールドを用いて階調表示が可能である発光輝度の重みであれば、同様の効果が得られる。
【００５７】
【発明の効果】
以上のように本発明のプラズマディスプレイ装置は、書き込み動作及び発光維持動作を行う書き込み期間及び発光維持期間を有するサブフィールドの書き込み動作の有無は、前段のサブフィールドまたは前段のサブフィールド群による発光維持動作の回数及び表示すべき映像データに対応した信号によって決定するように構成したもので、前段までの発光維持動作によって後続のサブフィールドの書き込み期間において正常な書き込み動作を行うことができず後続の発光維持動作を行うことができないという階調の劣化を防止することができる。
【図面の簡単な説明】
【図１】本発明の実施の形態１によるプラズマディスプレイ装置において、各サブフィールドの書き込み動作と発光状態を示す説明図
【図２】同プラズマディスプレイ装置の構成を示すブロック図
【図３】本発明の実施の形態２によるプラズマディスプレイ装置において、各サブフィールドの書き込み動作と発光状態の一例を示す説明図
【図４】同じく各サブフィールドの書き込み動作と発光状態の他の例を示す説明図
【図５】同プラズマディスプレイ装置の構成を示すブロック図
【図６】プラズマディスプレイパネルの一例を示す斜視図
【図７】プラズマディスプレイ装置の駆動時間割の構成を示す説明図
【図８】プラズマディスプレイ装置における走査電極、維持電極、データ電極に印加される駆動電圧及び動作タイミングを示す信号波形図
【図９】従来のプラズマディスプレイ表示装置における各サブフィールドの書き込み動作と発光状態を示す説明図
【符号の説明】
４  走査電極
５  維持電極
８  データ電極
１１  放電空間
１２  放電セル
２１  プラズマディスプレイパネル
２２  データドライバ
２３  走査ドライバ
２４  維持ドライバ
２５  データ検出変換部
２６  フィールドメモリ
【図１】
0003896817.tif 000002
【図２】
0003896817.tif 000003
【図３】
0003896817.tif 000004
【図４】
0003896817.tif 000005
【図５】
0003896817.tif 000006
【図６】
0003896817.tif 000007
【図７】
0003896817.tif 000008
【図８】
0003896817.tif 000009
【図９】
0003896817.tif 000010